(57)【要約】【課題】電気的部品にカバー体を被せる際、配線部材がカバー体によって損傷するおそれ減らし、他の電気的部品への配線部材の引き回しも容易にできる遊技機を提供する。【解決手段】カバー体１４０には開口部１４１が形成され、第１電気的部品７０に設けられ配線部材８０の一端側が接続される第１接続部７３と、第２電気的部品に設けられ配線部材の他端側が接続される第２接続部と、第２接続部と異なる部位で配線部材の他端側が係着される配線係着部７５が備えられ、配線部材の各端側が第１接続部と第２接続部に接続して第１電気的部品が作動可能とされる第１状態と、配線部材の他端側が配線係着部に係着されて第１電気的部品が作動不能となる第２状態とを有し、配線部材が第２状態であるとき、カバー体で第１電気的部品を覆う際に開口部を介して配線部材の他端側を配線係着部から係着解除し配線部材を第１状態にする。【選択図】図７
2012016437.tif 000002
【特許請求の範囲】
【請求項１】
第１電気的部品と第２電気的部品とを電気的に接続する配線部材と、前記第１電気的部品を配設する配設部材と、前記第１電気的部品を覆うカバー体を備えた遊技機において、
前記カバー体には開口部あるいは切り欠き部が形成され、
前記第１電気的部品に設けられ前記配線部材の一端側が接続される第１接続部と、
前記第２電気的部品に設けられ前記配線部材の他端側が接続される第２接続部と、
前記第２接続部と異なる部位で前記配線部材の他端側が係着される配線係着部が備えられ、
前記配線部材の各端側が前記第１接続部と前記第２接続部の双方に接続して前記第２電気的部品からの作動信号が送信可能でありその作動信号に伴い前記第１電気的部品が作動可能とされる第１状態と、
前記配線部材の他端側が前記第２接続部に接続されず前記配線部材の他端側が前記配線係着部に係着されて前記第２電気的部品からの作動信号が前記第１接続部に送信不能となって前記第１電気的部品が作動不能となる第２状態とを有し、
前記配線部材が前記第２状態であるとき、前記カバー体で前記第１電気的部品を覆う際に前記開口部あるいは前記切り欠き部を介して前記配線部材の他端側を前記配線係着部から係着解除して、前記配線部材を第１状態にすることを可能とした
ことを特徴とする遊技機。
【請求項２】
前記カバー体を前記配設部材に取り付けずかつ前記配線部材が前記第１接続部と前記配線係着部を接続していない場合、前記配線部材は前記カバー体と前記配設部材の取り付け位置に到達し、
前記配線部材が前記第１接続部と前記配線係着部を接続している場合、前記配線部材は前記カバー体と前記配設部材の取り付け位置に到達しないあるいは困難な構成である
ことを特徴とする請求項１に記載の遊技機。
【請求項３】
前記配設部材に前記第１電気的部品を配設した状態でいったん前記配線部材の他端側を前記配線係着部に係着して前記第２状態とし、前記第２状態で前記カバー体により前記第１電気的部品を覆った際に前記配線係着部から前記開口部あるいは前記切り欠き部を介して前記配線部材の他端側を外し、前記配線部材の他端側を前記開口部あるいは前記切り欠き部を通して前記第２接続部に接続して前記第１状態にできるようにしたことを特徴とする請求項１または２に記載の遊技機。
【請求項４】
前記開口部あるいは前記切り欠き部は、前記配線係着部と少なくとも前記配線係着部と係着している前記配線部材の他端側を露出するように形成されていることを特徴とする請求項１ないし３のいずれか１項に記載の遊技機。
【請求項５】
前記配線係着部が、前記第１電気的部品において前記第１接続部と異なる位置に設けられることを特徴とする請求項１ないし４のいずれか１項に記載の遊技機。
【請求項６】
前記配線係着部が前記第２接続部と同等形状であることを特徴とする請求項１ないし５のいずれか１項に記載の遊技機。
【発明の詳細な説明】
【技術分野】
【０００１】
本発明は、遊技機に関し、特に遊技機内を電気的に接続する配線が損傷するおそれを低減した構成を備えた遊技機に関する。
【背景技術】
【０００２】
例えば、パチンコ等の遊技機においては遊技盤に設けられている各種の入球口への遊技球の入球に応じて遊技球が払い出される。遊技の演出を実行するため、遊技盤に液晶表示装置や駆動役物等の入賞装置が備えられる。これらの装置は電気的に駆動、制御されるため、遊技機における電気的部品といえる。遊技盤等の正面に入賞装置等の電気的部品は取り付けられ、さらに遊技盤等の背面側に各種の制御基板を含め不正行為から保護するため、保護用のカバー体が取り付けられる。この場合、たいていの遊技機では、遊技盤に取り付けられている入賞装置等の電気的部品の配線部材（ハーネス）はカバー体の隙間から適宜引き回され、主制御基板等の各種基板に配線接続される（例えば、特許文献１参照）。
【０００３】
しかしながら、入賞装置等の電気的部品を遊技盤等の配設部材に配設した状態において、前記の電気的部品をカバー体で覆ったとき、入賞装置とは異なる制御基板等の電気的部品に接続していない配線部材の一部が配設部材とカバー体の間に挟まる場合がある。そのため、配線部材が断線するなど破損するおそれがある。あるいは、配線部材を制御基板等の電気的部品に接続するための引き回し、配線の長さ確保も困難である。
【０００４】
具体的には、図１５に示すように、配設部材となる遊技盤３００の背面側にカバー体３０１が被せられる。このとき、遊技盤３００内に備えられた入賞口等の電気的部品から伸びる配線部材３０５は、カバー体３０１の縁部３０２によって挟まれる場合がある。そのため、配線部材３０５に破損が生じ、作動用の電気信号の不通あるいは短絡等の原因になりやすい。
【０００５】
そこで、カバー体を被せた際、電気的部品間を接続する配線部材が損傷するおそれを減らし、さらには、配線部材の他の電気的部品への引き回しを容易にすることができる遊技機が望まれている。
【先行技術文献】
【特許文献】
【０００６】
【特許文献１】特開平２−２５７９７７号公報
【発明の概要】
【発明が解決しようとする課題】
【０００７】
本発明は、上記状況に鑑み提案されたものであり、電気的部品にカバー体を被せて覆う場合、当該電気的部品に接続されている配線部材がカバー体によって損傷するおそれ減らし、しかも、他の電気的部品への配線部材の引き回しも容易にできる遊技機を提供する。
【課題を解決するための手段】
【０００８】
すなわち、請求項１の発明は、第１電気的部品と第２電気的部品とを電気的に接続する配線部材と、前記第１電気的部品を配設する配設部材と、前記第１電気的部品を覆うカバー体を備えた遊技機において、前記カバー体には開口部あるいは切り欠き部が形成され、前記第１電気的部品に設けられ前記配線部材の一端側が接続される第１接続部と、前記第２電気的部品に設けられ前記配線部材の他端側が接続される第２接続部と、前記第２接続部と異なる部位で前記配線部材の他端側が係着される配線係着部が備えられ、前記配線部材の各端側が前記第１接続部と前記第２接続部の双方に接続して前記第２電気的部品からの作動信号が送信可能でありその作動信号に伴い前記第１電気的部品が作動可能とされる第１状態と、前記配線部材の他端側が前記第２接続部に接続されず前記配線部材の他端側が前記配線係着部に係着されて前記第２電気的部品からの作動信号が前記第１接続部に送信不能となって前記第１電気的部品が作動不能となる第２状態とを有し、前記配線部材が前記第２状態であるとき、前記カバー体で前記第１電気的部品を覆う際に前記開口部あるいは前記切り欠き部を介して前記配線部材の他端側を前記配線係着部から係着解除して、前記配線部材を第１状態にすることを可能としたことを特徴とする遊技機に係る。
【０００９】
請求項２の発明は、前記カバー体を前記配設部材に取り付けずかつ前記配線部材が前記第１接続部と前記配線係着部を接続していない場合、前記配線部材は前記カバー体と前記配設部材の取り付け位置に到達し、前記配線部材が前記第１接続部と前記配線係着部を接続している場合、前記配線部材は前記カバー体と前記配設部材の取り付け位置に到達しないあるいは困難な構成であることを特徴とする請求項１に記載の遊技機に係る。
【００１０】
請求項３の発明は、前記配設部材に前記第１電気的部品を配設した状態でいったん前記配線部材の他端側を前記配線係着部に係着して前記第２状態とし、前記第２状態で前記カバー体により前記第１電気的部品を覆った際に前記配線係着部から前記開口部あるいは前記切り欠き部を介して前記配線部材の他端側を外し、前記配線部材の他端側を前記開口部あるいは前記切り欠き部を通して前記第２接続部に接続して前記第１状態にできるようにしたことを特徴とする請求項１又は２に記載の遊技機に係る。
【００１１】
請求項４の発明は、前記開口部あるいは前記切り欠き部は、前記配線係着部と少なくとも前記配線係着部と係着している前記配線部材の他端側を露出するように形成されていることを特徴とする請求項１ないし３のいずれか１項に記載の遊技機に係る。
【００１２】
請求項５の発明は、前記配線係着部が、前記第１電気的部品において前記第１接続部と異なる位置に設けられることを特徴とする請求項１ないし４のいずれか１項に記載の遊技機に係る。
【００１３】
請求項６の発明は、前記配線係着部が前記第２接続部と同等形状であることを特徴とする請求項１ないし５のいずれか１項に記載の遊技機に係る。
【発明の効果】
【００１４】
請求項１の発明に係る遊技機によると、第１電気的部品と第２電気的部品とを電気的に接続する配線部材と、前記第１電気的部品を配設する配設部材と、前記第１電気的部品を覆うカバー体を備えた遊技機において、前記カバー体には開口部あるいは切り欠き部が形成され、前記第１電気的部品に設けられ前記配線部材の一端側が接続される第１接続部と、前記第２電気的部品に設けられ前記配線部材の他端側が接続される第２接続部と、前記第２接続部と異なる部位で前記配線部材の他端側が係着される配線係着部が備えられ、前記配線部材の各端側が前記第１接続部と前記第２接続部の双方に接続して前記第２電気的部品からの作動信号が送信可能でありその作動信号に伴い前記第１電気的部品が作動可能とされる第１状態と、前記配線部材の他端側が前記第２接続部に接続されず前記配線部材の他端側が前記配線係着部に係着されて前記第２電気的部品からの作動信号が前記第１接続部に送信不能となって前記第１電気的部品が作動不能となる第２状態とを有し、前記配線部材が前記第２状態であるとき、前記カバー体で前記第１電気的部品を覆う際に前記開口部あるいは前記切り欠き部を介して前記配線部材の他端側を前記配線係着部から係着解除して、前記配線部材を第１状態にすることを可能としたため、電気的部品にカバー体を被せて覆う場合において、電気的部品に接続されている配線部材がカバー体により損傷する可能性を減少できる。しかも、他の電気的部品への配線部材の引き回しも容易となる。
【００１５】
請求項２の発明に係る遊技機によると、請求項１の発明において、前記カバー体を前記配設部材に取り付けずかつ前記配線部材が前記第１接続部と前記配線係着部を接続していない場合、前記配線部材は前記カバー体と前記配設部材の取り付け位置に到達し、前記配線部材が前記第１接続部と前記配線係着部を接続している場合、前記配線部材は前記カバー体と前記配設部材の取り付け位置に到達しないあるいは困難な構成であるため、配線部材の長さを持て余すことがなくなり、配線部材の損傷のおそれをさらに低下することができる。
【００１６】
請求項３の発明に係る遊技機によると、請求項１又は２の発明において、前記配設部材に前記第１電気的部品を配設した状態でいったん前記配線部材の他端側を前記配線係着部に係着して前記第２状態とし、前記第２状態で前記カバー体により前記第１電気的部品を覆った際に前記配線係着部から前記開口部あるいは前記切り欠き部を介して前記配線部材の他端側を外し、前記配線部材の他端側を前記開口部あるいは前記切り欠き部を通して前記第２接続部に接続して前記第１状態にできるようにしたため、第１電気的部品から第２電気的部品への配線部材による接続が容易となる。
【００１７】
請求項４の発明に係る遊技機によると、請求項１ないし３のいずれかの発明において、前記開口部あるいは前記切り欠き部は、前記配線係着部と少なくとも前記配線係着部と係着している前記配線部材の他端側を露出するように形成されているため、開口部あるいは切り欠き部を介して行う配線部材のつなぎ換えが簡便となる。
【００１８】
請求項５の発明に係る遊技機によると、請求項１ないし４のいずれかの発明において、前記配線係着部が、前記第１電気的部品において前記第１接続部と異なる位置に設けられるため、配線部材を屈曲させて環状とし、配線部材の見かけ上の長さを短くすることができる。
【００１９】
請求項６の発明に係る遊技機によると、請求項１ないし５のいずれかの発明において、前記配線係着部が前記第２接続部と同等形状であるため、双方の接続は容易となり、しかも簡便かつ強固な係着となる。
【図面の簡単な説明】
【００２０】
【図１】本発明の一実施例に係る遊技機の正面図である。
【図２】遊技盤の正面図である。
【図３】図１の遊技機の背面図である。
【図４】遊技盤の背面側からの分解斜視である。
【図５】カバー体を取り付けるときの第１斜視図である。
【図６】カバー体を取り付けるときの第２斜視図である。
【図７】可動入賞装置の正面図及び背面図である。
【図８】可動入賞装置の背面側からの斜視図である。
【図９】遊技盤の背面図である。
【図１０】遊技盤の背面側からの斜視図である。
【図１１】配線部材を接続するときの遊技盤の背面図である。
【図１２】配線部材を接続するときの遊技盤の背面側からの斜視図である。
【図１３】他の例の遊技盤の背面側からの斜視図である。
【図１４】さらに他の配線係着部の概略図である。
【図１５】従来例の遊技機の遊技盤背面を示す斜視図である。
【発明を実施するための形態】
【００２１】
図１の正面図に示す遊技機１はこの発明の実施例に係るパチンコ遊技機である。遊技機１の機枠２内に遊技盤３が着脱交換可能に収容される。そして、図２の遊技盤３の全体正面図に開示するように、遊技盤３に向けて弾発発射された遊技球を遊技領域６へ誘導する外側ガイドレール４及び内側ガイドレール５が略円形に立設される。内側ガイドレール５に囲まれた遊技領域６の中央部分を占める表示装置２０、第１始動入賞口１１、第２始動入賞口１２、大入賞口１６、アウト口１７が配設される。第２始動入賞口１２には可動片１０が備えられ、大入賞口１６には開閉板１６ｄが備えられる。表示装置２０の左下方に左袖入賞口２３、左落とし入賞口２４が配設され、表示装置２０と一体化された普通図柄変動開始用ゲート２５が設けられる。
【００２２】
図１の遊技機１の前面側には、遊技状態を報知するランプ表示器３５，３６、払い出された遊技球を貯留するための上側貯留皿３２、上側貯留皿３２を取り付けるための取付板３３、上側貯留皿３２の飽和時の遊技球等を受けるための下側貯留皿３４、遊技領域上側に設置され音声や効果音を発して遊技状態を遊技者に報知するスピーカ３７、遊技者による操作ハンドル９（操作手段）の発射操作に応じて遊技球を遊技領域６に向けて弾発発射する発射装置８（図２参照）等がそれぞれ組み付けられている。この遊技機１の場合、貸球カードの記憶数を読みとり、所定数の遊技球の貸球をするカードユニット１０６も接続される。
【００２３】
表示装置２０は、液晶、ドットマトリックスもしくはＬＥＤ表示装置等の表示装置を備え、実施例ではカラー表示可能な液晶表示器（ＴＦＴ−ＬＣＤモジュール）等の画像表示装置２１を備える。画像表示装置２１は、数字、アルファベット、記号あるいは絵（キャラクタ）等の普通図柄または特別図柄を変動表示及び停止表示可能としている。表示装置２０の周囲には前飾り部材２２が配置される。
【００２４】
発射装置８は、操作ハンドル９と、該操作ハンドルの操作により駆動する発射モータ（図示せず）と、この発射モータの駆動により間欠的に揺動して遊技球を弾発発射する打球杆（図示せず）とを有する。遊技者により操作ハンドル９（操作手段）が握持されると、遊技者の生体電流はタッチスイッチ等により検知され、発射装置制御基板１２４（図３参照）の制御を受け発射モータは駆動される。発射装置８により発射された遊技球は、外側ガイドレール４及び内側ガイドレール５を経由して遊技領域６へ誘導される。遊技領域６に誘導された遊技球は、転動しつつ下方へ落下し、各入賞口に入賞するか、あるいは何処にも入賞しなければアウト口１７から遊技盤３の裏側へ排出される。
【００２５】
実施例の遊技機１においては、第１始動入賞口１１，第２始動入賞口１２、及び大入賞口１６はひとつの装置として集約され可動入賞装置７０となり、遊技盤３に配設される。可動入賞装置７０は後出の主制御基板１２０により電気的に制御され、可動入賞装置７０と主制御基板１２０との間で作動信号が授受される。そのため可動入賞装置７０は本実施例の第１電気的部品である。また、可動入賞装置７０は遊技盤３に配設されることから、実施例の遊技盤３は配設部材である。
【００２６】
図３に示すように、遊技機１の遊技板３の裏面側には制御基板機構体１００が装備され、遊技板の前面側に配設された表示装置２０の画像表示装置２１への図柄等の表示制御を行う図柄制御基板１２７、同じく遊技板の前面側である遊技領域６に配設された入賞口（入球口）に入球した遊技球を集合させる集合路を有する集合板（図示せず）が設けられている。
【００２７】
図３の符号１１０は遊技球を貯留する貯留タンク、１１１はタンクレール、１１２は枠用外部出力端子基板、１１４は受電基板、１１５は賞球センサ中継基板、１１６は盤面用外部出力端子基板、１１９はＦＧ中継基板、１２０は主制御基板、１２１は電源基板、１２３は払出制御基板、１２４は発射装置制御基板、１２５はカードインターフェイス接続部、１２６は電源プラグ、１２７は図柄制御基板、１４０はカバー体、Ｇは接地線である。また、符号１０６はカードユニット、１０７はカードユニットの電源プラグである。
【００２８】
主制御基板１２０は第１電気的部品である可動入賞装置７０と配線部材８０により電気的に接続される。そこで、実施例においては主制御基板１２０を第２電気的部品として説明する。図中の符号１２２は主制御基板１２０の第２接続部である。
【００２９】
図４ないし図１２を用い、可動入賞装置７０（第１電気的部品）と主制御基板１２０（第２電気的部品）をハーネス等の配線部材８０により接続する状況を説明する。まず、図４の分解斜視図から明らかなように、遊技盤３（配設部材）には、表示装置２０を受け入れて配設する表示装置開口１３１、可動入賞装置７０を受け入れて配設する入賞装置開口１３２、その他の入賞口が配設される入賞開口１３３が形成される。符号７１は始動入賞口駆動部、７２は大入賞口駆動部である。
【００３０】
可動入賞装置７０は遊技盤３（配設部材）の正面側から同遊技盤の入賞装置開口１３２内に挿入の後、ねじ等により遊技盤３に固定される。次に、カバー体１４０が遊技盤３の背面側から同遊技盤の所定位置に被せられる。図３参照のとおり、カバー体１４０の内部適宜の基板が収容される他、主制御基板１２０等が重ねられる。前記の基板はカバー体１４０により、遊技機（その制御基板）に対する不正行為から保護される。図示の例では、カバー体１４０の下方に開口部１４１が形成され、開口部１４１はその下方の縁部１４２により囲まれる。
【００３１】
可動入賞装置７０（第１電気的部品）の詳細について、図５の正面図及び背面図、並びに図６の拡大斜視図を用い説明する。図５（ａ）の正面図のとおり、実施例の可動入賞装置７０（第１電気的部品）では、大当たり等と称される特別遊技の実行の起因となる第１始動入賞口１１及び第２始動入賞口１２と、特別遊技実行中のラウンド遊技に用いられる大入賞口１６の双方が備えられる。第２始動入賞口１２には左右一対の可動片１０，１０が備えられ、第２始動入賞口の拡大、縮小により遊技球の入賞の難易が制御される。大入賞口１６には開閉扉１６ｄが備えられ、その開放時に一連のラウンド遊技中に遊技領域を流下する遊技球を受け入れて内部に誘導することができる。
【００３２】
図５（ｂ）は図（ａ）に対応する背面図、図６はその斜視図である。第１始動入賞口１１及び第２始動入賞口１２の背面側にソレノイド７８を備える始動入賞口駆動部７１が装備される。ソレノイド７８により可動片１０，１０の可動が行われる。大入賞口１６の背面側にもソレノイド７９を備える大入賞口駆動部７２が装備される。ソレノイド７９により開閉扉１６ｄの可動が行われる。始動入賞口駆動部７１、大入賞口駆動部７２には、遊技球の入賞を検知するセンサ、ソレノイドの進退動作を伝達する軸部材等が適宜備えられる。可動入賞装置７０（第１電気的部品）におけるセンサによる検知、ソレノイドの駆動等の作動信号や電気信号は、配線部材８０を介して送受信される。
【００３３】
配線部材８０は両端に公知のコネクタ端子が備えられ、着脱容易に構成されたハーネスである。配線部材８０の一端側となる第１コネクタ端子８１は、可動入賞装置７０（第１電気的部品）の第１接続部７３（コネクタ受け部）に接続される。配線部材８０の他端側となる第２コネクタ端子８２は、図３に示す配線接続状態参照のとおり、主制御基板１２０（第２電気的部品）の第２接続部１２２に接続される。そこで、可動入賞装置７０（第１電気的部品）は主制御基板１２０（第２電気的部品）と電気的に接続される。可動入賞装置７０は主制御基板１２０の制御下で、作動信号等が送受信され、主制御基板１２０からの作動信号に伴い可動入賞装置７０は作動可能となる。
【００３４】
前掲の図３は、配線部材８０により電気的部品同士が電気的に接続されて作動可能となる状態であり、第１状態である。この接続状態（第１状態）とするまでの間、図５（ｂ）及び図６等から把握されるように、配線部材８０の他端側の第２コネクタ端子８２は、前記主制御基板１２０（第２電気的部品）の第２接続部１２２と異なる部位となる配線係着部７５に、係着される。図示実施例の配線係着部７５は可動入賞装置７０内に形成され、第１接続部７３（コネクタ受け部）に近接するものの、これと異なる位置に設けられる。そこで、配線部材８０が第１接続部７３に接続されるとともに配線係着部７５に係着されているとき、配線部材８０は屈曲により環状となってその両端が可動入賞装置７０につながれる。こうすると、配線部材の見かけ上の長さが短くなる。
【００３５】
すなわち、図示のように、配線部材８０の他端側となる第２コネクタ端子８２が第２接続部１２２（図３参照）に接続されず、配線部材８０の第２コネクタ端子８２が配線係着部７５に係着されるとき、自明ながら、主制御基板１２０（第２電気的部品）からの作動信号は第１接続部７３に送信不能となる。このように、可動入賞装置７０（実施例における第１電気的部品）が作動不能となる状態が第２状態である。
【００３６】
図示実施例において、配線係着部７５は、主制御基板１２０（第２電気的部品）の第２接続部１２２（図３参照）と同等形状に形成される。配線係着部との第２接続部の互いの形状を同等形状、さらには同一形状とすることにより、配線部材８０の第２コネクタ端子８２と配線係着部７５との接続は容易となり、しかも双方とも簡便かつ強固に係着される。また、同等形状であることから、可動入賞装置７０内において配線係着部７５を探すことが容易となり、配線部材８０の第２コネクタ端子８２を配線係着部７５に素早く係着させることができる。ここでいう同等形状とは、単に形状の同一性のみの意味であり、必ずしも配線係着部に電極等が設置されるわけではない。
【００３７】
図７の斜視図では、可動入賞装置７０が遊技盤の入賞装置開口部１３２内に挿入され、同時に配線部材８０も入賞装置開口１３２を通り抜け、可動入賞装置７０の始動入賞口駆動部７１及び大入賞口駆動部７２とともに配線部材８０も遊技盤３の背面側に露出した状況である。この時点ではまだ、カバー体１４０は遊技盤３（配設部材）に装着されておらず、かつ、配線部材８０は第１接続部７３と配線係着部７５を接続していない。図示実施例では、配線部材８０の第１コネクタ端子８１が第１接続部７３に接続され、第２コネクタ端子８２が配線係着部７５に係着されていない場合にあっては、配線部材８０はカバー体１４０と遊技盤３（配設部材）の取り付け位置に到達する。ここでいう取り付け位置とはカバー体の縁部あるいはカバー体と遊技盤の接する所をいう。
【００３８】
続く図８の斜視図のように、配線部材８０が第１接続部７３と配線係着部７５を接続している場合、具体的には、配線部材８０の第１コネクタ端子８１が第１接続部７３に接続され、第２コネクタ端子８２が配線係着部７５に係着されている場合にあっては、配線部材８０はカバー体１４０と遊技盤３（配設部材）の取り付け位置に到達しないようにあるいはその到達が困難となるように構成される。このように、配線部材が環状化することにより配線部材は折りたたまれ、その分長さは短くなる。配線部材の他端部の垂れ下がりはなくなる。そのため、カバー体１４０の装着に伴い、縁部１４２に配線部材が巻き込まれる等の断線の原因が解消される。
【００３９】
これより配線部材８０を主制御基板１２０（第２電気的部品）の第２接続部１２２（図３参照）まで接続する様子を説明する。はじめに図９及び図１０は、遊技盤３（配設部材）にカバー体１４０を取り付けた状態である。同図から理解されるように、遊技盤３に可動入賞装置７０を配設した状態において、いったん配線部材８０の他端側（第２コネクタ端子８２）は配線係着部７５と係着して第２状態となっている。カバー体１４０に開口部１４１が形成されているため、遊技盤３にカバー体１４０を取り付けても可動入賞装置７０（第１電気的部品）の背後は開放される。そして、屈曲により環状（ループ状）となった配線部材８０の全体が開口部１４１から見える状態となる。
【００４０】
配線部材８０の全長は可動入賞装置７０と主制御基板１２０との間を容易に引き回して接続可能な作業効率を勘案した長さであれば特段限定されない。配線部材が短すぎる場合は遊技機の装置構成上、第１及び第２電気的部品間を電気的に接続するには足りない。極端に長すぎる場合も配線部材の長さを持て余すこととなり、カバー体を取り付けた場合、背景技術の図１５にて説明した問題点が不可避であり、好ましくない。
【００４１】
実施例の場合、第１接続部７３からいったん配線部材を屈曲させて配線係着部７５に他端側の第２コネクタ端子８２を係着させているとき、配線部材８０は屈曲により環状（ループ状）となる。こうして屈曲した配線部材８０は、遊技盤３（配設部材）とカバー体１４０が密着する部位まで到達し難いあるいは到達しない長さである。図示では、環状に屈曲した配線部材８０は、縁部１４２まで到達し難い長さとなっている。
【００４２】
そして図１１及び図１２のように、第２状態でカバー体１４０が遊技盤３に取り付けられ、可動入賞装置７０（第１電気的部品）がカバー体１４０により覆われた際、まず、配線係着部７５から配線部材８０の他端側（第２コネクタ端子８２）が外される。そして、この他端側である第２コネクタ端子８２は開口部１４１を通じて第２接続部１２２（図３参照、実施例の主制御基板１２０）に接続可能となり、配線部材のつなぎ換えによって前述の第１状態にできるようにされる。図示のように、開口部１４１は、配線係着部７５と少なくとも当該配線係着部と係着している配線部材８０の他端側（第２コネクタ端子８２）を露出するように形成されている。つまり、開口部を形成することにより配線部材のつなぎ換えを容易にできるようにするためである。
【００４３】
この遊技機１の主制御基板１２０は、カバー体１４０の開口部１４１付近の背後（直上）に設置される（図３参照）。そこで、配線部材８０の他端側（第２コネクタ端子８２）は、開口部１４１を通り抜け主制御基板１２０の下面側をくぐり抜けて第２接続部１２２に接続される。
【００４４】
第１電気的部品と第２電気的部品との電気的な接続を解除する場合については、これまでの説明と逆の手順となる。実施例の主制御基板１２０（第２電気的部品）の第２接続部１２２から配線部材８０の他端側（第２コネクタ端子８２）が取り外される。そして、配線部材８０の他端側（第２コネクタ端子８２）は配線係着部７５に係着される。こうして再び、配線部材８０は環状となる。配線部材８０の引き回しの距離は総じて短くなるため、次に、主制御基板１２０がカバー体１４０から取り外される。そのため、カバー体１４０が遊技盤３から取り外される場合であっても作業は容易となる。
【００４５】
図１３の斜視図は他の実施例の遊技盤の斜視図である。この例では、カバー体１４５の下方に切り欠き部１４６が形成される。可動入賞装置７０Ａ（第１電気的部品）と配線部材８０は、切り欠き部１４６によりカバー体外に露出する構成である。特に、図１３の例では、配線部材８０の他端側となる第２コネクタ端子８２は、主制御基板１２０（第２電気的部品）の第２接続部１２２と異なる部位として、遊技盤３（配設部材）に形成された配線係着部１４７に係着される。配線部材と各電気的部品との接続等の説明は前述のとおりであるため、詳細は省略する。
【００４６】
図示の切り欠き部１４６のように、カバー体において開放されている空間が広い場合、配線係着部を設ける場所の自由度は高まる。また、可動入賞装置７０Ａ自体が小型である場合、可動入賞装置内に配線係着部を設けることができない。すると、可動入賞装置７０Ａではなく、その他の場所に配線係着部を設けることが合理的である。図示の実施例では、比較的、可動入賞装置に近接し、配線部材を容易に環状化し得る場所として遊技盤３裏面の配線係着部１４７が好適である。切り欠き部１４６には縁部１４２もないため、環状化した配線部材８０がカバー体１４５と接触するおそれは低下する。
【００４７】
図１４は、配線係着部のさらに他の形態を開示する。図１４（ａ）の配線係着部２４７ａは、第２接続部と同等形状ではなく、単に配線部材８０の他端側となる第２コネクタ端子８２を挟持する板状部材から形成される。配線係着部はあくまでも、仮に係着する等のものであり、抜き差しの容易さも求められる場合がある。図１４（ｂ）の配線係着部２４７ｂは鉤状のフック体から形成され、単に配線部材８０の他端側がこのフックに引っかけられる。このような形態の他に、図示しないが、粘着性の樹脂や両面テープを敷設して粘着力で配線部材を係着することができる。または、面ファスナーや適宜の紐を設置することもできる。さらに、配線係着部の周囲に適当な凸部（図示せず）を設けて配線部材を巻き取らせることができる。こうして配線長さを変えることにより作業性が向上し、配線部材がはさみこまれるおそれを減らすことができる。
【００４８】
本発明は実施例に図示した構成に限定されることはなく、電気的に制御される各種の部品間の接続に適用することができる。例えば、図柄制御基板と主制御基板との接続等である。この他、実施例ではパチンコ遊技機（弾球遊技機）を例に説明したが、スロットマシン等の遊技機へも適用可能である。
【符号の説明】
【００４９】
１  遊技機
３  遊技盤（配設部材）
６  遊技領域
１０  可動片
１１  第１始動入賞口
１２  第２始動入賞口
１６  大入賞口
１６ｄ  開閉板
２０  表示装置
２１  画像表示装置（視認領域）
７０，７０Ａ  可動入賞装置（第１電気的部品）
７３  第１接続部（コネクタ受け部）
７５，１４７，２４７ａ，２４７ｂ  配線係着部
８０  配線部材
８１  第１コネクタ端子（一端側）
８２  第２コネクタ端子（他端側）
１００  制御基板機構体
１２０  主制御基板（第２電気的部品）
１２２  第２接続部
１４０，１４５  カバー体
１４１  開口部
１４２  縁部
１４６  切り欠き部
【図１】
2012016437.tif 000003
【図２】
2012016437.tif 000004
【図３】
2012016437.tif 000005
【図４】
2012016437.tif 000006
【図５】
2012016437.tif 000007
【図６】
2012016437.tif 000008
【図７】
2012016437.tif 000009
【図８】
2012016437.tif 000010
【図９】
2012016437.tif 000011
【図１０】
2012016437.tif 000012
【図１１】
2012016437.tif 000013
【図１２】
2012016437.tif 000014
【図１３】
2012016437.tif 000015
【図１４】
2012016437.tif 000016
【図１５】
2012016437.tif 000017